(57)【要約】【課題】ポリ袋を再利用する際収納が簡単でしかも取り出す際に一枚ずつ効率よく取り出せる様にする。【解決手段】左右の壁部と、左右に比べ少ない奥行きをもつ前後の壁部と、深さを持つ底部とで構成される箱状の容器部と、該容器部における深さ方向の平面を略覆いながら前記容器部の内壁に沿って上下に移動可能に設けられた押し込み板とを有し、前記容器部の下端中央部には前記底部と該底部に連なる前後の壁部とを略コの字型に切り取った取り出し口を設ける。【選択図】図５
2020132226.tif 000002
【特許請求の範囲】
【請求項１】
左右の壁部と、左右に比べ少ない奥行きをもつ前後の壁部と、深さを持つ底部とで構成される箱状の容器部と、該容器部における深さ方向の平面を略覆いながら前記容器部の内壁に沿って上下に移動可能に設けられた押し込み板とを有し、前記容器部の下端中央部には前記底部と該底部に連なる前後の壁部とを略コの字型に切り取った取り出し口を設けると共に、前記押し込み板には少なくとも指でつまむことや指を差し込むことが可能な取っ手部を設けたことを特徴とするポリ袋収納具。
【請求項２】
前記容器部下端における前後壁部の間隔は前記容器部上端における前後壁部の間隔よりも狭く、前記容器部上端と前記容器部下端の間隔差は少なくとも前記容器部内で閉じられていることを特徴とする請求項１に記載のポリ袋収納具。
【請求項３】
前記容器部上端における前後壁面の間隔は５０ｍｍ以下、前記容器部下端における前後壁面の間隔は３０ｍｍ以下であることを特徴とする請求項２に記載のポリ袋収納具。
【請求項４】
前記押し込み板を前記容器内で移動させる際、その下端が少なくとも取り出し口の上端よりも上側で停止するように構成されていることを特徴とする請求項1乃至請求項３に記載のポリ袋収納具。
【請求項５】
前記容器部における前記取り出し口の横幅は前記容器部における内部横幅の１／２以下であることを特徴とする請求項1乃至請求項３に記載のポリ袋収納具。
【請求項６】
前記略コの字型に切り取った取り出し口の上下高さは３０ｍｍ以下であることを特徴とする請求項1乃至請求項３に記載のポリ袋収納具。
【請求項７】
前記取っ手部を前記押し込み板の略中央部に設けると共に、前記容器部の前側壁部には前側壁部側から観察して少なくとも前記取っ手部の略移動可能な領域において上端から下に向かう切り込み溝を設けたことを特徴とする請求項1乃至請求項３に記載のポリ袋収納具。
【請求項８】
前記容器部の前面に、上下方向に連なるもしくは上下方向を略連ねることが出来る一つ又は複数のスリット孔を設けたことを特徴とする請求項1乃至請求項３に記載のポリ袋収納具。
【請求項９】
前記押し込み板の側面には側板が設けられていることを特徴とする請求項1乃至請求項３に記載のポリ袋収納具。
【請求項１０】
前記容器の裏面に磁石もしくは吸盤を設けたことを特徴とする請求項1乃至請求項３に記載のポリ袋収納具。
【発明の詳細な説明】
【技術分野】
【０００１】
本発明は、スーパーマーケットなどで買い物をした際に渡されるポリ袋(ビニール袋などを含む総称として使用)を再利用するために保管する収納具で、ポリ袋を散乱することなく、効率よく収納できると共に、取り出す際は一枚ずつ取り出すことが出来る収納具に関する。
【背景技術】
【０００２】
スーパーマーケットなどで買い物をした際、冷凍食品や生ものなどは特別に薄いポリ袋などに入れてくれるか若しくは自身で入れるが、このポリ袋は生ごみ入れなどに再利用できるため保存しておくことが多い。しかしながらこれを保管する場合、無造作に結んだり重ねたりして箱の中に収納しておくと、いざ再利用しようとして取り出そうとする際、絡まったり相互にくっついて重なったりするため余計な手間がかかり不快な気分になる。これを解決する為として、収納と取り出しを考慮した収納具が提案されている。（例えば、特許文献１、特許文献２、特許文献３、特許文献４、特許文献５、特許文献６、特許文献７、特許文献８参照）
【先行技術文献】
【特許文献】
【０００３】
【特許文献１】実登３１６２３４４
【特許文献２】実開６３−６２４０４
【特許文献３】特開平１１−０１１５５２
【特許文献４】実登３０２９６６７
【特許文献５】実開昭６１−１７０７５
【特許文献６】実開昭５８−１６１８８１
【特許文献７】実登３２１６７１３
【特許文献８】実登３０４６０２０
【０００４】
ところが実登３１６２３４４は仕切りを設置して並べた収納具にすぎず確実に仕分けできるが取り出しについての配慮は無いため、コンパクトさはなく効率が悪い。実開６３−６２４０４は収納口と取り出し口を設けただけのもので次々投入した際に下側から支えることが出来ず保持が不安定である。特開平１１−０１１５５２は上から押し込むのみでうまく一枚ずつつまみ出せるかわからないし、挿入数が少ない場合中間に停留する恐れもあり効率も悪い。実登３０２９６６７は上下に開放孔を設けポリ袋の投入と引き出しを行うだけのものにすぎないし、混ざり合って一度に数枚引き出される可能性もあり不安定である。実開昭６１−１７０７５は仕切り版に丁寧に折り曲げて載置するなど手間がかかり効率が悪い。実開昭５８−１６１８８１は取り出し口の上側がポリ袋で覆われているため下の部分しか触れられないため浮きあるなどして引き出しが容易ではない。実登３２１６７１３は重ねて保持されているビニール袋が摩擦などにより重なって引き出される恐れがあり効率が悪い。実登３０４６０２０は効率よく挿入し重ねて取り込むことが出来るが取り出し口が側方にあり指を挿入してつままなければならず引き出しが簡単ではない。また、幅が広く投入されたものが順次引き出されず滞留してしまうことがあり効率も悪い。
【０００５】
本発明は、上述したこれらの問題点を克服したポリ袋収納具に関するもので、スーパーマーケットなどで買い物をした際に渡されるポリ袋を再利用するにあたり、保管する際は散乱することなく簡単且つ効率よく収納することが出来、取り出す際は一枚ずつ容易に引き出すことが出来る収納具を提供することを目的とする。
【発明の開示】
【課題を解決するための手段】
【０００６】
前記目的を達成するために、本発明のポリ袋収納具は、左右の壁部と、左右に比べ少ない奥行きをもつ前後の壁部と、深さを持つ底部とで構成される箱状の容器部と、該容器部における深さ方向の平面を略覆いながら前記容器部の内壁に沿って上下に移動可能に設けられた押し込み板とを有し、前記容器部の下端中央部には前記底部と該底部に連なる前後の壁部とを略コの字型に切り取った取り出し口を設ける。
【発明の効果】
【０００７】
本発明のポリ袋収納具は、スーパーマーケットなどで買い物をしたときに渡されるポリ袋を再利用する際に、保管しておく際は散乱することなく簡単且つ効率よく収納することが出来、取り出す際は一枚ずつ確実に引き出すことが出来て便利である。更に一枚取り出した後、次のポリ袋が取り出し口に現れるため次の取り出しが極めて容易であるという効果がある。
またポリ袋を収納する容器の前面には切り込みが設けてあるため押し込み板の操作が用意に行えるという効果がある。
更に容器部とガイド板にはそれぞれガイド部と軸部が設けられているためポリ袋を押し込む際のガイド板の動きが滑らかに行えるという効果がある。
【発明を実施するための最良の形態】
【０００８】
本発明に係るポリ袋収納具は、スーパーマーケットなどで買い物をした際に渡されるポリ袋を再利用するにあたり、保管する際は散乱することなく簡単且つ効率よく収納することが出来ると共に、取り出す際は一枚ずつ容易に引き出すことが出来る収納具を実現したもので以下に詳細を記載する。
【実施例】
【０００９】
図１Ａは本発明に係るポリ袋収納具の容器部１の外観図で、該容器部１は相対する前側壁部２と後側壁部３、並びに左側壁部４と右側壁部５、並びに底部６とで形成されており、前記容器部１の下端中央部には前記底部６と該底部６に連なる前側壁部２と後側壁部３とを略コの字型に切り取った取り出し口７が設けられ、前記前側壁部２には上下方向に延びるスリット窓８が少なくとも一つ設けられている。
【００１０】
図１Ｂは前記容器部１の中に挿入して使用される押し込み板１１の外観図で、該押し込み板１１は平面状の板部１２と該板部１２のほぼ中央上部に取り付けられた取っ手部１９とからなり、前記板部１２にはその前後側面に前側側板１３と後側側板１４、左右側面には左側側板１４と右側側板１６が設けられ、更に前記左側側板１５並びに右側側板１６の外側にはそれぞれ二本の左側レール１７と右側レール１８とが上下方向に設けられている。また、前記取っ手部１９には前後方向おいて指を挿入する事が可能な開口部２０が設けられている。
【００１１】
次に本ポリ袋収納具の実際の使用について説明する。図２は前記容器部１の中から前記押し込み板１１を引き出した状態を示すもので、前記押し込み板１１は該押し込み板１１に取り付けられた前記取っ手部１９をつまんで引き出されたものである。この際前記押し込み板１１は該押し込み板１１の左側側板１５及び右側側板１６にそれぞれ２本ずつ設けられた左側レール１７及び右側レール１８により前記容器部１の中から摩擦面を少なくしてスムーズに引き出すことが出来る。なお、前記側板群は前記押し込み板１１を引き出す際に該押し込み板１１が傾き引き出しが困難になるのを防止する役目を持たせている。
【００１２】
図３は前記押し込み板１１を前記容器部１から引き出した後、該容器部１の中に保管するポリ袋３１を挿入する状態を示したもので、前記ポリ袋３１はスーパーマーケットなどから持ち帰ったものを単純に圧縮したものである。
【００１３】
図４はポリ袋を順次容器部１の中に保管してゆく状態を示したもので、ポリ袋群４１は個々のポリ袋を圧縮した後、押し込み板１１を使って容器部１の中に順次詰め込まれた集団を表すもので、ポリ袋４２はすでに詰めこまれた前記ポリ袋群４１の上に新しく詰め込むポリ袋を示している。なお、前記押し込み板１１の上下動の操作は該押し込み板１１に取り付けられた取っ手部１９を指でつまんで行う。
【００１４】
なお、この際、前記容器部１における前記左側壁部４と前記右側壁部５との間隔は保管するポリ袋のサイズにより逐次変化させ得るが、略２０ｍｍから５０ｍｍ程度の余裕を持たせるのが好ましい。また、前記前側壁部２と前記後側壁部３との間隔はポリ袋を順次挿入した際、本来は上下で独立に蓄積されるべきところが、上下のポリ袋が交差もしくは並列の状態で蓄積され、前記取り出し口７において複数のポリ袋が同時に出現するのを防ぐために略５０ｍｍ以下とするのが好ましい。
【００１５】
図５は前記容器部１からポリ袋を取り出す様子を示したもので、前記容器部１にはポリ袋がポリ袋群５１として詰め込まれており、その上から前記押し込み板１１で押さえられている。この際蓄積されたポリ袋の量は前記スリット窓８から観察することが出来る。
一方、前記容器部１の下端にある前記取り出し口７には前記ポリ袋群５１の中で最も下部にあるポリ袋が現れるためこのポリ袋を指でつまんで引けば一枚のポリ袋を確実に引き出すことが出来る。なお、ポリ袋が引き出された後は、上からの重力によって次のポリ袋が前記取り出し口７に現れるが、現れ方が不十分な場合は前記取っ手部１９を下に押せばこの不十分な状態が解消される。
【００１６】
以上記載した中で、前記取り出し口７の上下方向の高さは、これが高いとポリ袋が二枚以上重なって現れることがあるためこれを防ぐには略３０ｍｍ以下にすることが好ましい。一方、左右方向の幅についてはこれが広すぎると下端のポリ袋が垂れ下がり過ぎて抜け落ちたり引き出す際に数枚重なって引き出される恐れがあり、逆に狭すぎると前記容器部１から引き出せなかったり引き出しに苦労することになる。これを避けるためには前記取り出し口７の幅は容器内横幅の略１／２以下であり、しかも略３０ｍｍ以上に形成されていることが望まれる。
【００１７】
図６Ａは本発明に係る別のポリ袋収納具の容器部６０Ａの外観図で、該容器部６０Ａを構成する前側壁部６２Ａ及び後側壁部６３Ａの略左端内部には上下方向にスリット状の左側ガイド溝６４Ａが、また前記前側壁部６２Ａ及び前記後側壁部６３Ａの略右端内部には上下方向にスリット状の右側ガイド溝６５Ａが設けられている。
【００１８】
図６Ｂは前記容器部６０Ａに挿入して使用する押し込み板６０Ｂの外観図で、板部６２Ｂの左右側面にはそれぞれ左側側板６３Ｂ及び右側側板６４Ｂが設けられ、更に前記左側側板６３Ｂ及び前記右側側板６４Ｂの側面のそれぞれの両端にはそれぞれ左側軸部６５Ｂ及び右側軸部６６Ｂが端面に沿って付加されている。これによって前記容器部６０Ａの内部において前記押し込み板６０Ｂを移動させる際には前記容器部６０Ａに設けられた左側ガイド溝６４Ａ並びに右側ガイド溝６５Ａに倣って前記押し込み板６０Ｂに設けた左側軸部６５Ｂ並びに右側軸部６６Ｂが移動する。
【００１９】
ここで前記左側ガイド溝６４Ａ並びに右側ガイド溝６５Ａはそれぞれ前側壁部６２Ａ並びに後側壁部６３Ａの上端から所定の長さで停止されており、これらの停止位置は前記押し込み板６０Ｂにおける前記板部６２Ｂの下端が前記取り出し口６１Ａの上端部よりも下りない位置付近に設定され、圧縮されたポリ袋（不図示）を取り出す際に前記押し込み板６０Ｂが取り出しの邪魔にならないようになっている。また、前記取り出し口６１Ａの上下高さにおいても複数のポリ袋が同時につままれないように略３０ｍｍ以下に設定されている。
【００２０】
図７Ａは、多くのポリ袋を収納することが出来ると共に、出口を絞ることで取り出す際に壁と収納具との間に指を入れるすき間を作ることも出来る効率的な形態を有する本発明に係る別のポリ袋収納具の容器部７０Ａの外観図で前後の壁面は相対する上部前側壁面７３Ａと上部後側壁面７４Ａ並びに下部前側壁面７５Ａと下部後側壁面７６Ａで形成されており前記上部前側壁面７３Ａと前記下部前側壁面７５Ａとは上側境界線７８Ａ並びに下側境界線７９Ａを境にして滑らかに接続されている。また前記上部後側壁面７４Ａと前記下部後側壁面７６Ａも前方と略対称な形で滑らかに接続されている。
【００２１】
一方、前記上部前側壁面７３Ａの略中央部には少なくとも指を差し込むことが出来る幅を持った切り込み溝７７Ａが上端から下に向かって形成されている。なお前記前側壁面と後側壁面との間隔は上部においては５０ｍｍ以下、下部においては３０ｍｍ以下の範囲で調整されることが好ましい。なお、左右の壁部については前後の壁部の形状に合わせて設けられていることは言うまでもない。
【００２２】
図７Ｂは前記容器部７０Ａに挿入して使用する押し込み板７０Ｂを示すもので、平面状の板部７３Ｂと該板部７３Ｂの略中央上部に設けられた取っ手部７１Ｂ、前記板部７３Ｂの前後側面に設けられた前側側板７７Ｂと後側側板７８Ｂ、更に前記板部７３Ｂの左右側面に設けられた左側側板７４Ｂと右側側板７５Ｂとで形成され、前記左側側板７４Ｂと前記右側側板７５Ｂにはそれぞれ左側ガイド部７６Ｂと右側ガイド部７９Ｂとが上下方向に各２本ずつ設けられている。更に前記取っ手部７１Ｂには少なくとも指を差し込むことが出来る開口部７１Ｂが設けられている。
【００２３】
ここで前記押し込み板７０Ｂは前記容器部７０Ａに挿入し上下に操作できることは勿論であるが、上下の移動は前記容器部７０Ａの前記上部前側壁面７３Ａと前記上部後側壁面とに挟まれた範囲であって、言わば前記上側境界線７８Ａのラインから下には下がらないことになり、該上側境界線７８Ａのラインは前記容器部６０Ａにおける左側ガイド溝６４Ａと右側ガイド溝６５Ａと同等の役割も果たしている。また前記開口部７２Ｂの左右方向の位置は前記切り込み溝７７Ａと略合致しており、このことは前記押し込み板７０Ｂは前記開口部７２Ｂに指を入れ、前記切り込み溝７７Ａを介して前記容器部７０Ａの内部で上下させることが出来るので、ポリ袋（不図示）を収納する際に前記押し込み板７０Ｂを前記容器部７０Ａから引き抜く操作の利便性を高めている。
【００２４】
更に図７Ａにおいて上部後側壁面７４Ａの外側は一部で壁面の厚みを減らし、略出っ張りを無くした状態で磁石（不図示）を張り付けることが出来るようになっており、冷蔵庫などに吸着させて使用することが出来るようになっているが、磁石の代わりに吸盤を取り付け吸着できるようにすることも可能である。
【００２５】
以上の記載において、前記取り出し口７、６１Ａ、７１Ａなどは略コの字型と記載してあるが形状に固執するものではなく、各前側壁面と後側壁面と底部とを包含する形で切り取られたものであればよい。
また、前記スリット窓８は必ずしも文字通り正確に上下である必要はなく、斜め方向のものやデザインされた孔や断続した孔部であったとしても前記スリット窓８と同等の機能を持たせることが出来るものであればそれでも良い。
【００２６】
更に、上記記載において、取手部材の取り付け位置は押し込み板の中央部に限定されるものではなく、広い範囲で接続や一体化されている状況を含むことは言うまでもない。
更に取り出し口に関して、図７Ａに示されているような上部と下部における前側壁面と後側壁面との対称性は必ずしも必要ではない。
更に、前記スリット窓８、切り込み溝７７Ａ、左右ガイド溝６４Ａと６５Ａ、左右軸部６５Ｂと６６Ｂ、取り出し口７および取り出し口７１などの有無や配置などは本願ポリ袋収納具に共通するもので、実施例そのもののだけに限定されたものではない。
【産業上の利用可能性】
【００２７】
本発明のポリ袋収納具は、簡単且つ効率よく収納することが出来ると共に、取り出す際は一枚ずつ容易に引き出すことが出来てしかも次に取り出すポリ袋が取り出し口に現れるため次の取り出しも極めて容易なもので、スーパーマーケットなどで買い物をした際渡されるポリ袋を再利用するために保管する収納具として最適である。
【図面の簡単な説明】
【００２８】
【図１Ａ】ポリ袋収納具の容器部の等角投影図
【図１Ｂ】ポリ袋収納具の押し込み板の等角投影図
【図２】容器部から押し込み板を引き出した状態の等角投影図
【図３】容器部にポリ袋を挿入する状態を示した等角投影図
【図４】ポリ袋を順次容器部に挿入してゆく状態を示した等角投影図
【図５】容器部からポリ袋を取り出す状態を示した等角投影図
【図６Ａ】別のポリ袋収納具の容器部の等角投影図
【図６Ｂ】別のポリ袋収納具の押し込み板の等角投影図
【図７Ａ】別のポリ袋収納具の容器部の等角投影図
【図７Ｂ】別のポリ袋収納具の押し込み板の等角投影図
【符号の説明】
【００２９】
１  容器部
２  前側壁部
３  後側壁部
４  左側壁部
５  右側壁部
６  底部
７  取り出し口
８  スリット窓
１１  押し込み板
１２  板部
１３  前側側板
１４  後側側板
１５  左側側板
１６  右側側板
１７  左側レール
１８  右側レール
１９  取っ手部
２０  開口部
３１  ポリ袋
６４Ａ  左側ガイド溝
６５Ａ  右側ガイド溝
６５Ｂ  左側軸部
６６Ｂ  右側軸部
７３Ａ  上部前側壁面
７４Ａ  上部後側壁面
７５Ａ  下部前側壁面
７６Ａ  下部後側壁面
７７Ａ  切り込み溝
７８Ａ  上側境界線
７９Ａ  下側境界線
【図１Ａ】
2020132226.tif 000003
【図１Ｂ】
2020132226.tif 000004
【図２】
2020132226.tif 000005
【図３】
2020132226.tif 000006
【図４】
2020132226.tif 000007
【図５】
2020132226.tif 000008
【図６Ａ】
2020132226.tif 000009
【図６Ｂ】
2020132226.tif 000010
【図７Ａ】
2020132226.tif 000011
【図７Ｂ】
2020132226.tif 000012